(57)【要約】【課題】エクステリア又はインテリアとして使用され、視界を遮ったり、日を遮ったりするスクリーン装置のデザイン性を向上させることを目的とする。【解決手段】スクリーン装置１は、幹部分１０、及び幹部分１０から径方向に延びる少なくとも１つの枝部分１２を有する複数のフレーム２と、葉形状のオブジェクト４とを備える。スクリーン装置１は、木を模した形態を有し、このようなスクリーン装置１によりデザイン性を向上させることができる。【選択図】図１
2020176397.tif 000002
【特許請求の範囲】
【請求項１】
幹部分、及び幹部分から径方向に延びる少なくとも１つの枝部分を有する複数のフレームと、
葉形状のオブジェクトとを備えることを特徴とする、スクリーン装置。
【請求項２】
前記幹部分は、曲がった形状を有する、請求項１に記載のスクリーン装置。
【請求項３】
前記オブジェクトは、光源が搭載された光源アタッチメントである、請求項１又は２に記載のスクリーン装置。
【請求項４】
前記複数のフレームが水平方向に延びるように支持するベースを備え、前記光源は、前記光源アタッチメントの上面に配置されている、請求項３に記載のスクリーン装置。
【請求項５】
前記オブジェクトは、スピーカー、カメラ、又は人感センサーの少なくとも何れかを搭載した機能アタッチメントである、請求項１乃至４のいずれか１項に記載のスクリーン装置。
【請求項６】
前記オブジェクトは、メッシュ素材、半透明素材、又は金属素材の意匠アタッチメントである、請求項１乃至５のいずれか１項に記載のスクリーン装置。
【請求項７】
幹部分は、中空構造を有する、請求項１乃至６のいずれか１項に記載のスクリーン装置。
【発明の詳細な説明】
【技術分野】
【０００１】
本発明は、スクリーン装置に関する。
【背景技術】
【０００２】
従来、建物のエクステリア又はインテリアとして使用され、視界を遮ったり、日を遮ったりするスクリーン装置が知られている（例えば、特許文献１）。
【先行技術文献】
【特許文献】
【０００３】
【特許文献１】特開２０１８−１７５３７０号公報
【発明の概要】
【発明が解決しようとする課題】
【０００４】
しかしながら、スクリーン装置には遮蔽性の向上のみならず、エクステリア又はインテリアとしての美観やデザイン性を向上させることの要望が少なからず存在する。そこで本発明は、このような要望に基づきなされたものであり、スクリーン装置のデザイン性を向上させることを目的とする。
【課題を解決するための手段】
【０００５】
上記課題を解決するために本発明の第１の態様は、幹部分、及び幹部分から径方向に延びる少なくとも１つの枝部分を有する複数のフレームと、フレームに取り付けられた葉形状のオブジェクトと、を備える。
【０００６】
この構成によれば、木を模したスクリーン装置を提供でき、デザイン性を向上できる。
【発明の効果】
【０００７】
以上のように本発明によれば、デザイン性を向上できる。
【図面の簡単な説明】
【０００８】
【図１】本発明の実施形態によるスクリーン装置の上面図である。
【図２】同スクリーン装置の側面図である。
【図３】同スクリーン装置の光源アタッチメントを示す上面図である。
【図４】同スクリーン装置の光源アタッチメントを示す側面図である。
【図５】同スクリーン装置の実施例の写真である。
【発明を実施するための形態】
【０００９】
以下、本発明の実施形態を説明する。なお、以下の実施形態では、スクリーン装置を、屋外で頭上に配置した日除けに適用した例について説明する。しかしながら、スクリーン装置は、他社からの視界を遮るための間仕切りやフェンス、室内空間を分割するパーティションとしても利用できる。図１は、実施形態による照明装置の上面図であり、図２は、スクリーン装置の側面図である。なお、図面による理解を容易にするために図２においては、１本のフレームだけを図示している。
【００１０】
図１及び図２に示すように、スクリーン装置１は、複数のフレーム２と、フレームに着脱可能に取り付けられたオブジェクト４と、を備える。また、スクリーン装置１は、複数のフレーム２を一体保持するためのベース６を備えており、複数のフレーム２はベース６から水平方向に延びている。スクリーン装置１は、少なくともその形状において、全体として木の枝を模した形状を有している。このようなスクリーン装置１を頭上に配置することで、スクリーン装置１が太陽光を部分的に遮り、下側にいる観察者は木陰にいるかのような気分を味わえる。したがって、スクリーン装置１は、木陰のような空間を作り出すエクステリアとして機能する。
【００１１】
図示の例では、スクリーン装置１は、４本のフレーム２を有しているが、フレーム２の本数はこれに限られるものではなく、用途やベース６が固定される壁面Wの面積等に応じてフレーム２の本数を適宜選択しても良い。また、図示の例では、４本のフレーム２が全て異なる形状を有しているが、フレーム２の構造は、全て同一でも良いし、同一形状のフレームと、異なる形状のフレームとを混在させてスクリーン装置１を構成しても良い。したがって、以下の説明において、フレームの特定の形状に言及することがあるが、特定の形状に言及していない箇所の形状については自由に設計できる。
【００１２】
フレーム２は、木の枝を模したように、少なくとも１つの屈曲部８を有する幹部分１０と、幹部分１０から幹部分１０の径方向に延びる枝部分１２とを備えている。屈曲部８は、図１に示すような上面視において屈曲した形状でも良いし、図２に示すような側面視において屈曲した形状でも良いし、これらの組み合わせた形状でも良い。屈曲部８は、フレーム２に木の枝のような外観を付すものであるから、屈曲部８を有する幹部分１０の形状は、上面視及び側面視において直線を組み合わせたものでも良い。また、本発明によれば幹部分１０は、曲がった形状を有していれば良く、屈曲形状の他に、二次曲線又は三次曲線の形態をなす湾曲形状としても良い。
【００１３】
また詳細は後述するが、フレーム２は、図２の破線によって示すように中空構造を有しており、内部に給電用の配線を通せる。
【００１４】
複数のフレーム２を配置する鉛直方向位置としては、全てのフレーム２を同じ高さでベース６に取り付けても良いし、不規則に配置しても良い。また、上面視したときにフレーム２の一部又は全部が重複するように配置しても良い。スクリーン装置１は木を模したものであるから、木の形状と同様に、鉛直方向においてあらゆるフレーム２の配置が考えられる。
【００１５】
枝部分１２は、幹部分１０から広がるように、幹部分１０の外表面から径方向に延びる。枝部分１２は、直線に延びる棒状の部材であり、幹部分１０の中心線と角度をなすように配置される。なお、枝部分１２に屈曲部を設けてもよい。１つのフレーム２に対する枝部分１２の数は図示の例に限られるものではなく、木の枝と同様にあらゆる数が考えられる。枝部分１２の先端付近には、オブジェクト４が着脱可能に取り付けられる。
【００１６】
オブジェクト４は、木の葉を模した輪郭を有しており、ほぼ平坦か、滑らかな凹凸表面を有する板部材によって形成されている。オブジェクト４の輪郭は、図示の例のような、ほぼ涙型の輪郭に限られるものではなく、丸形や楕円形のような少なくとも一部が湾曲した形状を有していてもよい。また、オブジェクト４を、直線を組み合わせた輪郭を有する形状としても良い。この場合、観察者から見て、木の葉を想起できる形状であることが好ましい。
【００１７】
オブジェクト４を形成するための板部材の素材としては、メッシュ素材、半透明素材、又は金属素材等が挙げられる。スクリーン装置１に様々な素材のオブジェクト４を取り付けることにより、スクリーン装置１の使用性をさらに向上できる。
【００１８】
オブジェクト４は、枝部分１２に取り付けるための取り付け部１４を有している。取り付け部１４は、ワイヤーのような部材を湾曲させ両端をオブジェクト４の上面に固定し、枝部分１２の先端に引っ掛けられる形状を有している。取り付け部１４は、一時的に枝部分１２に取り付けるものであっても良いし、恒久的に枝部分１２に固定されてもよい。
【００１９】
オブジェクト４は、特定の機能を有するものと、特定の機能を有さずデザイン性を向上させるもの（例えば、上述したメッシュ素材等のオブジェクト）とに分類される。どのようなオブジェクト４を、どの枝部分１２に取り付けるかは、ユーザーの要望に応じて適宜変更可能である。また、取り付け部１４を枝部分１２から着脱可能な形態とすることで、一度、スクリーン装置１を組み立てから、オブジェクト４の位置や種類を変更できる。
【００２０】
特定の機能を有するオブジェクト４の種類としては、光源が搭載された光源アタッチメント、スピーカーが搭載された音源アタッチメント、カメラが搭載されたカメラアタッチメント、人感センサーが搭載されたセンサーアタッチメント等がある。
【００２１】
図３は光源アタッチメントの上面図であり、図４は光源アタッチメントの側面図である。図３及び図４に示すように、光源アタッチメント４Ｌは、例えばＬＥＤ素子のような光源１６を有している。光源１６は、光源アタッチメント４Ｌの上面、即ち観察者から見えない面に配置され上向きに光を照射する。光源１６は、給電用の配線１８を有している。配線１８は、中空構造を有するフレーム２の内部を通ってベース６まで延び、例えばベース６内に設けられた電源に接続される。光源１６を観察者から視認できない位置に配置し上向きに光を照射することにより、スクリーン装置１全体の美観を損ねるのを防止できる。また、木の形態を有するスクリーン装置１で葉の形態を有するオブジェクト４の裏側を光らせることにより、スクリーン装置１は観察者に対して間接照明として機能し、太陽が昇っていない時間でもあたかも木陰にいるかのような印象を与えられる。
【００２２】
また、オブジェクト４にスピーカーを搭載することにより、音楽等を流し、スクリーン装置１の下にいる観察者に対してリラックス効果を与えられる。この場合も、スピーカーは観察者から視認できないようにオブジェクト４の上面に配置することが好ましい。また、スピーカーの配線は、光源１６と同様に、フレーム２の内部を通って電源に接続される。
【００２３】
また、オブジェクト４にカメラを搭載することにより、スクリーン装置１に防犯機能を持たせることができる。この場合も、カメラの本体は観察者から視認できないようにオブジェクト４の上面に配置することが好ましい。また、カメラの配線は、光源１６と同様に、フレーム２の内部を通って電源に接続される。また、オブジェクト４に微小な孔を設け、孔内にカメラのレンズを配置することでレンズを視認し難くできる。
【００２４】
また、オブジェクト４に人感センサーを搭載することにより、例えば人がスクリーン装置１の下に来たことを感知し、スクリーン装置１を点灯させ、またはスピーカー若しくはカメラを稼働することができる。この場合も、人感センサーの検出部以外は観察者から視認できないようにオブジェクト４の上面に配置することが好ましい。また、人感センサーの配線は、光源１６と同様に、フレーム２の内部を通って電源に接続される。また、オブジェクト４に微小な孔を設け、孔内にセンサーの検出部を配置することで検出部を視認し難くできる。
【００２５】
図５は、実際に作成したスクリーン装置を下から見た写真である。スクリーン装置は、高いデザイン性を有していることが分かる。
【００２６】
以上のように実施形態によるスクリーン装置１によれば、デザイン性を向上できる。
【００２７】
以上の実施形態により具体化される発明を一般化すると、以下の技術的思想が導かれる。以下、発明が解決しようとする課題に記載の態様を用いて説明する。
【００２８】
第２の態様は、第１の態様において、幹部分は、曲がった形状を有する。
【００２９】
第３の態様は、第１又は第２の態様において、オブジェクトは、光源が搭載された光源アタッチメントである。
【００３０】
この構成によれば、スクリーン装置に照明機能をもたせることができる。
【００３１】
第４の態様は、第３の態様においてフレームが水平方向に延びるように支持するベースを備え、光源は、光源アタッチメントの上面に配置されている。
【００３２】
この構成によれば、光源を観察者から見えない位置に設けることができ、デザイン性をより向上させることができる。
【００３３】
第５の態様は、第１乃至第４の何れかの態様において、フレームに着脱可能に取り付けられ、スピーカー、カメラ、又は人感センサーの少なくとも何れかを含む機能アタッチメントをさらに備える。
【００３４】
この構成によれば、スクリーン装置に、スピーカー機能、又は人感センサー機能を追加できる。
【００３５】
第６の態様は、第１乃至第５の何れかの態様において、フレームに着脱可能に取り付けられ、メッシュ素材、半透明素材、又は金属素材の意匠アタッチメントをさらに備える。
【００３６】
この構成によれば、様々な形状のアタッチメントを用いることができ、デザイン性をさらに向上できる。
【００３７】
第７の態様は、第１乃至第６の何れかの態様において、幹部分は、中空構造を有する。
【００３８】
この構成によれば、光源への配線を中空構造内に隠せる。
【符号の説明】
【００３９】
１    スクリーン装置
２    フレーム
４    オブジェクト
６    ベース
８    屈曲部
１０    幹部分
１２    枝部分
１６    光源
【図１】
2020176397.tif 000003
【図２】
2020176397.tif 000004
【図３】
2020176397.tif 000005
【図４】
2020176397.tif 000006
【図５】
2020176397.tif 000007